(57)【要約】【課題】本発明は、ＡＴＭや自動券売機等に用いられる光学式タッチパネルに係り、スキミング機器の設置を妨げセキュリティ情報のスキミングを防止する。【解決手段】表示画面（保護板も含め）の周辺の水平方向及び垂直方向に、発光素子列と受光素子列とを対向するようにそれぞれ設けてなる光学式タッチパネルにおいて、保護板にフィルムやシートキーを設置された場合に、それが光軸と干渉し当該エリアの入力を不可能とするように、保護板表面に突起構造を設ける。【選択図】図１
2008112230.tif 000002
【特許請求の範囲】
【請求項１】
表示画面の周辺の水平方向及び垂直方向に、発光素子列と受光素子列とを対向するようにそれぞれ設けてなる光学式タッチパネルにおいて、表示画面の上面に設けられた透明材からなる保護板に突起を設けたことを特徴とする光学式タッチパネル。
【請求項２】
請求項１の光学式タッチパネルにおいて、前記突起の高さを中央部が高く、端に行く程低くなるよう設けたことを特徴とする光学式タッチパネル。
【請求項３】
請求項２の光学式タッチパネルにおいて、前記突起の最も高い突起の高さを光軸より高く設け、最も低い突起の高さを光軸より低く設けたことを特徴とする光学式タッチパネル。
【請求項４】
請求項２の光学式タッチパネルにおいて、前記突起の最も高い突起の高さを光軸より低く設けたことを特徴とする光学式タッチパネル。
【発明の詳細な説明】
【技術分野】
【０００１】
本発明は、ＡＴＭや自動券売機等に用いられる光学式タッチパネルに係り、特に、スキミングを効果的に防止することのできる光学式タッチパネルに関する。
【背景技術】
【０００２】
従来、光学式タッチパネルは、口座釦群等を表示する表示画面の上面に設けられた透明材からなる保護板の周辺の水平方向（以下、「x軸方向」ともいう）及び垂直方向（以下、「y軸方向」ともいう）に、発光素子列と受光素子列が対向してそれぞれ設けられている。これら発光素子列及び受光素子列は、赤外線発光ダイオード等からなる発光素子及び受光素子を所定の間隔を保って多数配置してそれぞれ構成されているとともに、これら発光素子列及び受光素子列は、合成樹脂等からなる透光性材で形成された保護カバーで覆われている。したがって、光学式タッチパネルは、x軸方向及びy軸方向のどの発光素子の光線（以下、「光軸」ともいう）が利用者の指により遮光されたかにより、所定の情報を入力することができる（特許文献１）。近来の光学式タッチパネルでは、保護板と光軸の隙間は、約１．５〜３ｍｍである。
【０００３】
【特許文献１】特開平１１−８６６９８号公報
【発明の開示】
【発明が解決しようとする課題】
【０００４】
しかしながら、上記従来の光学式タッチパネルは、この「約１．５〜３ｍｍの保護板と光軸の隙間」にフィルムやシートキーを設置されると、セキュリティ情報のスキミングが可能になる欠点があった。特に、ＡＴＭのように、表示画面（保護板も含め）が水平に近い設置構造の場合は、フィルムやシートキーなどのスキミング機器の設置が容易であった。そこで、本発明は、上記欠点を解決するためになされたものであって、その目的は、セキュリティ情報のスキミングを防止することのできる光学式タッチパネルを提供することにある。
【課題を解決するための手段】
【０００５】
本発明に係る光学式タッチパネルは、上記目的を達成するために、表示画面（保護板も含め）の周辺の水平方向及び垂直方向に、発光素子列と受光素子列とを対向するようにそれぞれ設けてなる光学式タッチパネルにおいて、保護板にフィルムやシートキーを設置された場合に、それが光軸と干渉し当該エリアの入力を不可能とするように、保護板表面に突起構造を設けたことを特徴としている。
【０００６】
本発明に係る光学式タッチパネルは、上記目的を達成するために、表示画面（保護板も含め）の周辺の水平方向及び垂直方向に、発光素子列と受光素子列とを対向するようにそれぞれ設けてなる光学式タッチパネルにおいて、保護板に硬い材質のスキミング機器を設置された場合に、利用者のタッチ入力時の力で突起の稜線に沿ってスキミング機器が傾くことにより、利用者に異物認識をさせ取引停止を促すことができるように、前記突起の高さを中央部が高く、端に行く程低くなるよう設けたことを特徴とする光学式タッチパネル。
【０００７】
本発明に係る光学式タッチパネルは、上記目的を達成するために、表示画面（保護板も含め）の周辺の水平方向及び垂直方向に、発光素子列と受光素子列とを対向するようにそれぞれ設けてなる光学式タッチパネルにおいて、保護板に硬い材質のスキミング機器を設置された場合に、利用者のタッチ入力時の力で突起の稜線に沿ってスキミング機器が傾くことにより、利用者に異物認識をさせ取引停止を促すことができるように、また前記スキミング機器が傾くことにより、スキミング機器が光軸高さを越えたエリアではスキミング機器により光軸を遮蔽し入力を不可能とすることができるように、前記突起の高さを中央部が高く、端に行く程低くなるよう設け、更に前記突起の最も高い突起の高さを光軸より高く設け、最も低い突起の高さを光軸より低く設けたたことを特徴とする光学式タッチパネル。
【０００８】
本発明に係る光学式タッチパネルは、上記目的を達成するために、表示画面（保護板も含め）の周辺の水平方向及び垂直方向に、発光素子列と受光素子列とを対向するようにそれぞれ設けてなる光学式タッチパネルにおいて、保護板に硬い材質のスキミング機器を設置された場合に、利用者のタッチ入力時の力で突起の稜線に沿ってスキミング機器が傾くことにより、利用者に異物認識をさせ取引停止を促すことができるように、また前記スキミング機器が傾くことにより、スキミング機器が光軸高さを越えたエリアではスキミング機器により光軸を遮蔽し入力を不可能とすることができるように、更に倍精度や４倍精度にも対応可能とすることができるように、前記突起の高さを中央部が高く、端に行く程低くなるよう設け、更に前記突起の最も高い突起の高さを光軸より低く設け、各突起の稜線に沿ってスキミング機器を設置された場合にスキミング機器の片側が光軸高さを超えるように突起を設けたたことを特徴とする光学式タッチパネル。
【発明の効果】
【０００９】
本発明に係る光学式タッチパネルは、保護板表面に突起構造を設けたもので、保護板にフィルムやシートキーを設置された場合に、それが光軸と干渉し当該エリアの入力を不可能とすることができ、セキュリティ情報のスキミングを防止することができる。
【００１０】
本発明に係る光学式タッチパネルは、保護板表面に中央部が高く端に行く程低くなる突起構造を設けたもので、保護板にフィルムやシートキーを設置された場合に、硬い材質のスキミング機器の場合には、利用者のタッチ入力時の力で突起の稜線に沿ってスキミング機器が傾くことにより、利用者に異物認識をさせ取引停止を促すことができ、セキュリティ情報のスキミングを防止することができる。
【００１１】
本発明に係る光学式タッチパネルは、保護板表面に中央部が高く端に行く程低くなる突起構造を設け、更に前記突起の最も高い突起の高さを光軸より高く設け、最も低い突起の高さを光軸より低く設けたたもので、保護板にフィルムやシートキーを設置された場合に、硬い材質のスキミング機器の場合には、利用者のタッチ入力時の力で突起の稜線に沿ってスキミング機器が傾くことにより、利用者に異物認識をさせ取引停止を促すことができる。また、スキミング機器が光軸高さを越えたエリアではスキミング機器により光軸を遮蔽し入力を不可能とすることができ、セキュリティ情報のスキミングを防止することができる。
【００１２】
本発明に係る光学式タッチパネルは、保護板表面に中央部が高く端に行く程低くなる突起構造を設け、更に前記突起の最も高い突起の高さを光軸より低く設け、各突起の稜線に沿ってスキミング機器を設置された場合にスキミング機器の片側が光軸高さを超えるように突起を設けたもので、保護板にフィルムやシートキーを設置された場合に、硬い材質のスキミング機器の場合には、利用者のタッチ入力時の力で突起の稜線に沿ってスキミング機器が傾くことにより、利用者に異物認識をさせ取引停止を促すことができる。また、前記スキミング機器が傾くことにより、スキミング機器が光軸高さを越えたエリアではスキミング機器により光軸を遮蔽し入力を不可能とすることができ、セキュリティ情報のスキミングを防止することができる。更に前記突起の最も高い突起の高さを光軸より低く設けることにより、倍精度や４倍精度にも対応可能とすることができる（倍精度や４倍精度は、隣接する光学素子の検出光量差から光学素子間の仮想座標を演算するものであり、光軸と同高さ以上の突起を設置した場合には、倍精度や４倍精度では仮想座標として演算されてしまう）。
【発明を実施するための最良の形態】
【００１３】
以下、本発明の実施の形態を図面に基づいて説明する。図１は、一実施の形態に係る光学式タッチパネルの一部の断面図である。表示画面１の表示面を覆うように設けられている透明なガラス等からなる保護板１ａの周辺のx軸方向及びy軸方向に、発光素子列２と受光素子列３が対向してそれぞれ設けられている。なお、この図１では、発光素子列２のみが示されているが、受光素子列３は、この発光素子列２と対向した位置に設けられている。また、受光素子列３の位置に発光素子列２が設けられたときは、発光素子列２の位置に受光素子列３が設けられる。これら発光素子列２及び受光素子列３は、赤外線発光ダイオード等からなる発光素子及び受光素子を所定の間隔を保って多数配置してそれぞれ構成されているとともに、保護板1ａの表面に突起５を設けている。したがって、光学式タッチパネルは、突起５により保護板に設置されたスキミング機器は光軸を遮蔽し、当該エリアの入力を不可能とすることができ、セキュリティ情報のスキミングを防止することができる。
【００１４】
図２は、一実施の形態に係る光学式タッチパネルの一部の平面図である。突起５は隣接する発光素子２及び受光素子３の中央に配置することにより、光軸を遮蔽することはない。
【００１５】
上記構成の光学式タッチパネルにおいて、表示画面１に取引情報を指定する口座釦群等の所定の内容が表示され、利用者がその表示の所定位置を指で指定すると、ｘ軸方向及びｙ軸方向のその指の位置に対応した光軸の光線が遮光されて、その指の指定に対応した所定の情報が入力される。
【００１６】
図３は、本発明の他の実施の形態に係る光学式タッチパネルを示すものであって、保護板1ａ表面に中央部が高く端に行く程低くなる突起５構造を設けている。硬い材質のスキミング機器の場合には、突起５の稜線に沿ってスキミング機器６が傾くことにより、利用者に異物認識をさせ取引停止を促すことができセキュリティ情報のスキミングを防止することができる。
【００１７】
図４は、本発明の他の実施の形態に係る光学式タッチパネルを示すものであって、保護板1ａ表面に中央部が高く端に行く程低くなる突起５構造を設け、更に前記突起５の最も高い突起の高さを光軸より高く設け、最も低い突起の高さを光軸より低く設けている。硬い材質のスキミング機器の場合には、突起５の稜線に沿ってスキミング機器６が傾くことにより、利用者に異物認識をさせ取引停止を促すことができ、更にスキミング機器が光軸高さを越えたエリアではスキミング機器により光軸を遮蔽し入力を不可能とすることができ、セキュリティ情報のスキミングを防止することができる。
【００１８】
図５は、本発明の他の実施の形態に係る光学式タッチパネルを示すものであって、保護板1ａ表面に中央部が高く端に行く程低くなる突起５構造を設け、更に前記突起５の最も高い突起の高さを光軸より低く設け、各突起の稜線に沿ってスキミング機器を設置された場合にスキミング機器の片側が光軸高さを超えるように突起を設けている。硬い材質のスキミング機器の場合には、突起５の稜線に沿ってスキミング機器６が傾くことにより、利用者に異物認識をさせ取引停止を促すことができ、更にスキミング機器が光軸高さを越えたエリアではスキミング機器により光軸を遮蔽し入力を不可能とすることができ、セキュリティ情報のスキミングを防止することができる。倍精度や４倍精度にも対応可能とすることができる。
【産業上の利用可能性】
【００１９】
ＡＴＭなどの取引処理装置で利用される可能性がある。
【図面の簡単な説明】
【００２０】
【図１】本発明の一実施の形態に係る光学式タッチパネルの一部の断面図である。
【図２】本発明の一実施の形態に係る光学式タッチパネルの一部の平面図である。
【図３】本発明の一実施の形態に係る光学式タッチパネルの一部の断面図である。
【図４】本発明の一実施の形態に係る光学式タッチパネルの一部の断面図である。
【図５】本発明の一実施の形態に係る光学式タッチパネルの一部の断面図である。
【符号の説明】
【００２１】
１…表示画面、１ａ…保護板、２…発行素子列、３…受光素子列、４…保護カバー、５…突起、６…スキミング機器。
【図１】
2008112230.tif 000003
【図２】
2008112230.tif 000004
【図３】
2008112230.tif 000005
【図４】
2008112230.tif 000006
【図５】
2008112230.tif 000007